(57)【要約】【課題】視聴者に対する視覚的効果を与えることができる画像コンテンツを容易に作成することができるコンテンツ素材を配信すること。【解決手段】ユーザの携帯電子機器にダウンロードされることにより、携帯電子機器の画面上に表示されるコンテンツ素材を配信するコンテンツ配信装置であって、画像コンテンツの構成要素として画像コンテンツの背景画像上に重畳して画面上に表示されるコンテンツ素材であって、画像コンテンツの視聴者に対する視覚的効果を与えるべく背景画像に対する表示条件が規定された、コンテンツ素材を配信するコンテンツ配信部を備える。【選択図】図２
2010231445.tif 000002
【特許請求の範囲】
【請求項１】
ユーザの携帯電子機器にダウンロードされることにより、前記携帯電子機器の画面上に表示されるコンテンツ素材を配信するコンテンツ配信装置であって、
画像コンテンツの構成要素として前記画像コンテンツの背景画像上に重畳して前記画面上に表示される前記コンテンツ素材であって、前記画像コンテンツの視聴者に対する視覚的効果を与えるべく前記背景画像に対する表示条件が規定された、前記コンテンツ素材を配信するコンテンツ配信部を備える
コンテンツ配信装置。
【請求項２】
前記コンテンツ配信部は、
前記表示条件が規定された前記コンテンツ素材として、前記背景画像との面積比が規定された前記コンテンツ素材を配信する
請求項１に記載のコンテンツ配信装置。
【請求項３】
前記コンテンツ配信部は、
前記表示条件が規定された前記コンテンツ素材として、前記背景画像との面積比の範囲が規定された前記コンテンツ素材を配信する
請求項２に記載のコンテンツ配信装置。
【請求項４】
前記コンテンツ配信部は、
前記表示条件が規定された前記コンテンツ素材として、前記背景画像との輝度比が規定された前記コンテンツ素材を配信する
請求項１から請求項３のいずれかに記載のコンテンツ配信装置。
【請求項５】
前記コンテンツ配信部は、
前記表示条件が規定された前記コンテンツ素材として、前記背景画像との輝度比の範囲が規定された前記コンテンツ素材を配信する
請求項４に記載のコンテンツ配信装置。
【請求項６】
前記コンテンツ配信部は、
前記表示条件が規定された前記コンテンツ素材として、前記背景画像上における移動条件が規定された前記コンテンツ素材を配信する
請求項１から請求項５のいずれかに記載のコンテンツ配信装置。
【請求項７】
前記コンテンツ配信部は、
前記背景画像上における移動条件として前記背景画像上における移動範囲が規定され、前記移動範囲内を移動しながら前記画面上に表示される前記コンテンツ素材を配信する
請求項６に記載のコンテンツ配信装置。
【請求項８】
前記コンテンツ配信部は、
前記背景画像上における移動条件として前記背景画像上における複数の移動位置が規定され、前記複数の移動位置を順次移動しながら、前記画面上に表示される前記コンテンツ素材を配信する
請求項６または請求項７に記載のコンテンツ配信装置。
【請求項９】
画像コンテンツを画面上に表示する携帯電子機器であって、
前記画像コンテンツの構成要素として前記画像コンテンツの背景画像上に重畳して前記画面上に表示されるコンテンツ素材であって、前記画像コンテンツの視聴者に対する視覚的効果を与えるべく前記背景画像に対する表示条件が規定された、前記コンテンツ素材をコンテンツ配信装置から受信するコンテンツ受信部と、
前記コンテンツ素材が前記表示条件で前記背景画像上に重畳して前記画面上に表示される前記画像コンテンツを作成するコンテンツ作成部と、
前記コンテンツ作成部によって作成された前記画像コンテンツを前記画面上に表示する表示部と
を備える携帯電子機器。
【請求項１０】
ユーザの携帯電子機器にダウンロードされることにより、前記携帯電子機器の画面上に表示されるコンテンツ素材を配信するコンテンツ配信方法であって、
画像コンテンツの構成要素として前記画像コンテンツの背景画像上に重畳して前記画面上に表示される前記コンテンツ素材であって、前記画像コンテンツの視聴者に対する視覚的効果を与えるべく前記背景画像に対する表示条件が規定された、前記コンテンツ素材を配信するコンテンツ配信段階を備える
コンテンツ配信方法。
【請求項１１】
画像コンテンツを画面上に表示するコンテンツ表示方法であって、
前記画像コンテンツの構成要素として前記画像コンテンツの背景画像上に重畳して前記画面上に表示されるコンテンツ素材であって、前記画像コンテンツの視聴者に対する視覚的効果を与えるべく前記背景画像に対する表示条件が規定された、前記コンテンツ素材をコンテンツ配信装置から受信するコンテンツ受信段階と、
前記コンテンツ素材が前記表示条件で前記背景画像上に重畳して前記画面上に表示される前記画像コンテンツを作成するコンテンツ作成段階と、
前記コンテンツ作成段階によって作成された前記画像コンテンツを前記画面上に表示する表示段階と
を備えるコンテンツ表示方法。
【請求項１２】
ユーザの携帯電子機器にダウンロードされることにより、前記携帯電子機器の画面上に表示されるコンテンツ素材を配信するコンテンツ配信装置用のプログラムであって、コンピュータを、
画像コンテンツの構成要素として前記画像コンテンツの背景画像上に重畳して前記画面上に表示される前記コンテンツ素材であって、前記画像コンテンツの視聴者に対する視覚的効果を与えるべく前記背景画像に対する表示条件が規定された、前記コンテンツ素材を配信するコンテンツ配信部
として機能させるプログラム。
【請求項１３】
画像コンテンツを画面上に表示する携帯電子機器用のプログラムであって、コンピュータを、
前記画像コンテンツの構成要素として前記画像コンテンツの背景画像上に重畳して前記画面上に表示されるコンテンツ素材であって、前記画像コンテンツの視聴者に対する視覚的効果を与えるべく前記背景画像に対する表示条件が規定された、前記コンテンツ素材をコンテンツ配信装置から受信するコンテンツ受信部、
前記コンテンツ素材が前記表示条件で前記背景画像上に重畳して前記画面上に表示される前記画像コンテンツを作成するコンテンツ作成部、
前記コンテンツ作成部によって作成された前記画像コンテンツを前記画面上に表示する表示部
として機能させるプログラム。
【発明の詳細な説明】
【技術分野】
【０００１】
本発明は、コンテンツ配信装置、携帯電子機器、コンテンツ配信方法、コンテンツ表示方法、およびプログラムに関する。
【背景技術】
【０００２】
特許文献１には、携帯電話用の待ち受け画面、メニュー画面などの画像コンテンツを携帯電話へ配信するコンテンツ配信システムが記載されている。
【特許文献１】特開２００６−１９１５１１号公報
【発明の開示】
【発明が解決しようとする課題】
【０００３】
しかしながら、上記技術では、携帯電話のユーザは、携帯電話用の画像コンテンツを作成することができないので、携帯電話の待ち受け画面、メニュー画面を、予め携帯電話に格納されている画像コンテンツ、または、画像コンテンツ配信業者から配信された画像コンテンツのいずれかにしか、変更することができない。そこで、複数のユーザが互いに携帯電話の差別化を図ることができるように、携帯電話の待ち受け画面、メニュー画面などに用いることが可能な視覚的効果の高い画像コンテンツをユーザに作成させることが可能なシステムが望まれている。
【課題を解決するための手段】
【０００４】
本発明の第１の態様のコンテンツ配信装置は、ユーザの携帯電子機器にダウンロードされることにより、携帯電子機器の画面上に表示されるコンテンツ素材を配信するコンテンツ配信装置であって、画像コンテンツの構成要素として画像コンテンツの背景画像上に重畳して画面上に表示されるコンテンツ素材であって、画像コンテンツの視聴者に対する視覚的効果を与えるべく背景画像に対する表示条件が規定された、コンテンツ素材を配信するコンテンツ配信部を備える。
【０００５】
上記コンテンツ配信装置において、コンテンツ配信部は、表示条件が規定されたコンテンツ素材として、背景画像との面積比が規定されたコンテンツ素材を配信してもよい。
【０００６】
上記コンテンツ配信装置において、コンテンツ配信部は、表示条件が規定されたコンテンツ素材として、背景画像との面積比の範囲が規定されたコンテンツ素材を配信してもよい。
【０００７】
上記コンテンツ配信装置において、コンテンツ配信部は、表示条件が規定されたコンテンツ素材として、背景画像との輝度比が規定されたコンテンツ素材を配信してもよい。
【０００８】
上記コンテンツ配信装置において、コンテンツ配信部は、表示条件が規定されたコンテンツ素材として、背景画像との輝度比の範囲が規定されたコンテンツ素材を配信してもよい。
【０００９】
上記コンテンツ配信装置において、コンテンツ配信部は、表示条件が規定されたコンテンツ素材として、背景画像上における移動条件が規定されたコンテンツ素材を配信してもよい。
【００１０】
上記コンテンツ配信装置において、コンテンツ配信部は、背景画像上における移動条件として背景画像上における移動範囲が規定され、移動範囲内を移動しながら画面上に表示されるコンテンツ素材を配信してもよい。
【００１１】
上記コンテンツ配信装置において、コンテンツ配信部は、背景画像上における移動条件として背景画像上における複数の移動位置が規定され、複数の移動位置を順次移動しながら、画面上に表示されるコンテンツ素材を配信してもよい。
【００１２】
本発明の第２の態様の携帯電子機器は、画像コンテンツを画面上に表示する携帯電子機器であって、画像コンテンツの構成要素として画像コンテンツの背景画像上に重畳して画面上に表示されるコンテンツ素材であって、画像コンテンツの視聴者に対する視覚的効果を与えるべく背景画像に対する表示条件が規定された、コンテンツ素材をコンテンツ配信装置から受信するコンテンツ受信部と、コンテンツ素材が表示条件で背景画像上に重畳して画面上に表示される画像コンテンツを作成するコンテンツ作成部と、コンテンツ作成部によって作成された画像コンテンツを画面上に表示する表示部とを備える。
【００１３】
なお、上記の発明の概要は、本発明の必要な特徴の全てを列挙したものではない。また、これらの特徴群のサブコンビネーションもまた、発明となりうる。
【発明を実施するための最良の形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１５】
図１は、実施形態に係るコンテンツ配信システム１０の一例を示す。コンテンツ配信システム１０は、携帯電話１２０およびコンテンツ配信サーバ１００を備える。
【００１６】
コンテンツ配信サーバ１００は、インターネット、パケット交換網などのネットワーク１３０に接続されている。コンテンツ配信サーバ１００は、携帯電話１２０にダウンロードされることにより、携帯電話１２０の画面上に表示されるコンテンツ素材を配信するコンテンツ配信装置として機能する。コンテンツ素材とは、アイコン、ボタン、背景、図形、文字、写真など、画像コンテンツの構成要素である。たとえば、コンテンツ素材は、ユーザの携帯電子機器の一例としての携帯電話１２０にダウンロードされることにより、携帯電話１２０の画面上に表示される。具体的には、コンテンツ素材は、画像コンテンツの構成要素として他のコンテンツ素材と重畳して携帯電話１２０の画面上に表示される。
【００１７】
また、コンテンツ配信サーバ１００は、画像コンテンツを、携帯電話１２０へ配信するコンテンツ配信装置として機能する。たとえば、コンテンツ配信サーバ１００は、画像コンテンツの一例としての着せ替えコンテンツを、携帯電話１２０へ配信する。着せ替えコンテンツとは、背景、アイコン、ボタンなどの携帯電話１２０の画面を構成する複数のコンテンツ素材がパッケージ化された画像コンテンツであって、たとえば、携帯電話１２０は、着せ替えコンテンツを用いて、画面の構成要素を一斉に取り替えることにより、画面のデザインを、統一感のあるデザインに変更することができる。
【００１８】
携帯電話１２０は、画像コンテンツおよびコンテンツ素材を表示する。たとえば、携帯電話１２０は、コンテンツ配信サーバ１００からダウンロードした画像コンテンツを、当該携帯電話１２０の待ち受け画面、メニュー画面として用いることができる。また、携帯電話１２０は、画像コンテンツを作成および加工する画像コンテンツ作成装置としても機能する。
【００１９】
携帯電話１２０は、ネットワーク１３０へ接続することができる。これにより、携帯電話１２０は、コンテンツ配信サーバ１００から、画像コンテンツおよびコンテンツ素材を取得することができる。また、携帯電話１２０は、コンテンツ配信サーバ１００に対して、画像コンテンツおよびコンテンツ素材を投稿することができる。
【００２０】
たとえば、携帯電話１２０は、コンテンツ配信サーバ１００から、コンテンツ素材を取得する。そして、携帯電話１２０は、取得したコンテンツ素材を用いて、画像コンテンツを作成する。さらに、携帯電話１２０は、作成した画像コンテンツをコンテンツ配信サーバ１００へ投稿する。
【００２１】
他の例では、携帯電話１２０は、コンテンツ配信サーバ１００から、コンテンツ素材および画像コンテンツを取得する。そして、携帯電話１２０は、取得したコンテンツ素材を用いて、取得した画像コンテンツを加工する。さらに、携帯電話１２０は、加工された画像コンテンツをコンテンツ配信サーバ１００へ投稿する。
【００２２】
なお、本実施形態では、ユーザの携帯電子機器の一例として、携帯電話１２０を用いて説明するが、これらに限らず、コンテンツおよびコンテンツ素材を表示することができる、パーソナル・コンピュータ、ＰＤＡ、ゲーム機などであってもよい。
【００２３】
図２は、コンテンツ配信サーバ１００の機能構成の一例を示す。コンテンツ配信サーバ１００は、コンテンツ受信部２０２、コンテンツ登録部２０４、配信要求受信部２０６、コンテンツ取得部２０８、コンテンツ配信部２１０、記憶部２８０、および通信Ｉ／Ｆ部２９０を備える。
【００２４】
コンテンツ受信部２０２は、コンテンツ素材を受信する。たとえば、コンテンツ受信部２０２は、コンテンツ素材を作成した外部の情報処理装置から、通信Ｉ／Ｆ部２９０を介して、作成されたコンテンツ素材を受信する。
【００２５】
また、コンテンツ受信部２０２は、コンテンツを受信する。たとえば、コンテンツ受信部２０２は、コンテンツを作成した携帯電話１２０から、通信Ｉ／Ｆ部２９０を介して、作成されたコンテンツを受信する。
【００２６】
コンテンツ登録部２０４は、コンテンツ受信部２０２によって受信されたコンテンツ素材を記憶部２８０に登録する。また、コンテンツ登録部２０４は、コンテンツ受信部２０２によって受信されたコンテンツを記憶部２８０に登録する。なお、コンテンツ配信サーバ１００は、コンテンツ素材およびコンテンツの少なくともいずれかを作成するコンテンツ作成部をさらに備えてもよく、この場合、コンテンツ登録部２０４は、コンテンツ作成部によって作成されたコンテンツ素材またはコンテンツを記憶部２８０に登録してもよい。
【００２７】
配信要求受信部２０６は、コンテンツの配信要求を受信する。また、配信要求受信部２０６は、コンテンツ素材の配信要求を受信する。たとえば、配信要求受信部２０６は、携帯電話１２０から、通信Ｉ／Ｆ部２９０を介して、コンテンツの配信要求またはコンテンツ素材の配信要求を受信する。たとえば、これらの配信要求は、コンテンツ購入者が携帯電話１２０を利用してコンテンツまたはコンテンツ素材を購入した場合に、携帯電話１２０から送信される。
【００２８】
コンテンツ取得部２０８は、配信要求受信部２０６によって受信されたコンテンツの配信要求に基づいて、配信が要求されたコンテンツを、記憶部２８０から取得する。また、コンテンツ取得部２０８は、配信要求受信部２０６によって受信されたコンテンツ素材の配信要求に基づいて、配信が要求されたコンテンツ素材を、記憶部２８０から取得する。
【００２９】
コンテンツ配信部２１０は、コンテンツ取得部２０８によって記憶部２８０から取得されたコンテンツを配信する。また、コンテンツ配信部２１０は、コンテンツ取得部２０８によって記憶部２８０から取得されたコンテンツ素材を配信する。たとえば、コンテンツ配信部２１０は、配信要求受信部２０６が受信した配信要求の送信元の携帯電話１２０へ、通信Ｉ／Ｆ部２９０を介して、コンテンツまたはコンテンツ素材を配信する。
【００３０】
コンテンツ配信部２１０は、画像コンテンツの構成要素として画像コンテンツの背景画像上に重畳して画面上に表示されるコンテンツ素材であって、画像コンテンツの視聴者に対する視覚的効果を与えるべく、背景画像に対する表示条件が規定されたコンテンツ素材を配信する。本実施形態では、コンテンツ配信部２１０は、画像コンテンツの注目度を高めるための金属的な光沢感（いわゆる、キラキラ感）を上記視覚的効果として与えるべく、背景画像に対する表示条件が規定されたコンテンツ素材を配信する。たとえば、本実施形態では、コンテンツ配信部２１０は、金属的な光沢感を与えるべく背景画像に対する表示条件が規定されたコンテンツ素材の一例として、複数の突起部を有する星型のコンテンツ素材であって、背景画像に対して規定の面積比で表示されるコンテンツ素材を配信する。
【００３１】
具体的には、コンテンツ配信部２１０は、表示条件が規定されたコンテンツ素材として、背景画像との面積比が規定されたコンテンツ素材を配信する。この場合、コンテンツ素材をダウンロードした携帯電話１２０のコンテンツ作成部は、背景画像とコンテンツ素材との面積比が、表示条件に規定された面積比となるように、背景画像およびコンテンツ素材を含む画像コンテンツを作成してもよい。たとえば、携帯電話１２０のコンテンツ作成部は、背景画像とコンテンツ素材との面積比が、表示条件に規定された面積比となるように、背景画像の大きさに応じて、コンテンツ素材の大きさを自動的に調整してもよい。
【００３２】
表示条件が規定されたコンテンツ素材は、背景画像との面積比の範囲が規定されたコンテンツ素材であってもよい。この場合、コンテンツ素材をダウンロードした携帯電話１２０のコンテンツ作成部は、背景画像とコンテンツ素材との面積比が、表示条件に規定された面積比の範囲内となるように、背景画像およびコンテンツ素材を含む画像コンテンツを作成してもよい。たとえば、携帯電話１２０のコンテンツ作成部は、背景画像とコンテンツ素材との面積比が、表示条件に規定された面積比の範囲外となる画像コンテンツを作成できないように、画像コンテンツ作成ソフトの機能を制限してもよい。
【００３３】
表示条件が規定されたコンテンツ素材は、背景画像との輝度比が規定されたコンテンツ素材であってもよい。この場合、コンテンツ素材をダウンロードした携帯電話１２０のコンテンツ作成部は、背景画像とコンテンツ素材との輝度比が、表示条件に規定された輝度比となるように、背景画像およびコンテンツ素材を含む画像コンテンツを作成してもよい。たとえば、携帯電話１２０のコンテンツ作成部は、背景画像とコンテンツ素材との輝度比が、表示条件に規定された輝度比となるように、背景画像の明るさに応じて、コンテンツ素材の明るさを自動的に調整してもよい。
【００３４】
表示条件が規定されたコンテンツ素材は、背景画像との輝度比の範囲が規定されたコンテンツ素材であってもよい。この場合、コンテンツ素材をダウンロードした携帯電話１２０のコンテンツ作成部は、背景画像とコンテンツ素材との輝度比が、表示条件に規定された輝度比の範囲内となるように、背景画像およびコンテンツ素材を含む画像コンテンツを作成してもよい。たとえば、携帯電話１２０のコンテンツ作成部は、背景画像とコンテンツ素材との輝度比が、表示条件に規定された輝度比の範囲外となる画像コンテンツを作成できないように、画像コンテンツ作成ソフトの機能を制限してもよい。
【００３５】
表示条件が規定されたコンテンツ素材は、背景画像上における移動条件が規定されたコンテンツ素材であってもよい。
【００３６】
たとえば、表示条件が規定されたコンテンツ素材は、背景画像上における移動条件として背景画像上における移動範囲が規定され、移動範囲内を移動しながら画面上に表示されるコンテンツ素材であってもよい。この場合、コンテンツ素材が移動範囲内を移動しながら表示されるように、コンテンツ素材の移動範囲内での表示位置が異なる複数のフレーム画像を含むコンテンツ素材であってもよい。コンテンツ配信部２１０は、コンテンツ素材に移動条件を含めて携帯電話１２０へ配信することで、上記複数のフレーム画像を含むコンテンツ素材を、携帯電話１２０のコンテンツ作成部に作成させてもよい。
【００３７】
また、表示条件が規定されたコンテンツ素材は、背景画像上における移動条件として背景画像上における複数の移動位置が規定され、複数の移動位置を順次移動しながら、画面上に表示されるコンテンツ素材であってもよい。この場合、コンテンツ素材が複数の移動位置を順次移動しながら表示されるように、コンテンツ素材の表示位置が異なる複数のフレーム画像を含むコンテンツ素材であってもよい。コンテンツ配信部２１０は、コンテンツ素材に移動条件を含めて携帯電話１２０へ配信することで、上記複数のフレーム画像を含むコンテンツ素材を、携帯電話１２０のコンテンツ作成部に作成させてもよい。
【００３８】
表示条件が規定されたコンテンツ素材は、さらに点滅しながら表示されるコンテンツ素材であってもよい。たとえば、コンテンツ素材が表示されている表示画像と、コンテンツ素材が表示されていない非表示画像とを含むコンテンツ素材であってもよい。この場合、コンテンツ素材をダウンロードした携帯電話１２０のコンテンツ作成部は、表示画像および非表示画像を順次切り替えて表示することで、コンテンツ素材が点滅しながら表示される、画像コンテンツを作成してもよい。
【００３９】
表示条件が規定されたコンテンツ素材は、さらに拡縮しながら表示されるコンテンツ素材であってもよい。たとえば、コンテンツ素材の拡大率が異なる複数の表示画像を含むコンテンツ素材であってもよい。この場合、コンテンツ素材をダウンロードした携帯電話１２０のコンテンツ作成部は、複数の表示画像を順次切り替えて表示することで、コンテンツ素材が拡縮しながら表示される、画像コンテンツを作成してもよい。
【００４０】
コンテンツ配信サーバ１００は、表示条件を予め記憶部２８０に記憶しておいてもよい。コンテンツ配信サーバ１００は、コンテンツ素材ごとに、コンテンツ素材と表示条件とを予め対応付けて記憶部２８０に記憶しておいてもよい。コンテンツ配信サーバ１００は、記憶部２８０に記憶しておく表示条件を、コンテンツ素材を作成した外部の情報処理装置から受信してもよい。
【００４１】
表示条件が規定されたコンテンツ素材は、コンテンツ作成ソフトを利用して、画像コンテンツのレイアウト上に、コンテンツ素材のファイルを配置する定義をおこなうだけで、規定された表示条件に従って表示されるコンテンツ素材であってもよい。さらに、コンテンツ配信部２１０は、単独のファイルとしてコンピュータ上での管理（たとえば、ＯＳ上での管理、コンテンツ作成ソフト上での管理）が可能なコンテンツ素材であってもよい。たとえば、表示条件が規定されたコンテンツ素材は、これらの要件を満たす、ＦＬＡＳＨ（登録商標）、ＧＩＦアニメーションなどのコンテンツ素材であってもよい。
【００４２】
一方、携帯電話１２０は、配信要求送信部、コンテンツ受信部、コンテンツ登録部、記憶部、コンテンツ取得部、コンテンツ作成部、表示部、通信Ｉ／Ｆ部、コンテンツ投稿部を備える。
【００４３】
配信要求送信部は、コンテンツ素材の配信を要求する配信要求を送信する。たとえば、配信要求送信部は、配信要求をコンテンツ配信サーバ１００へ送信する。
【００４４】
コンテンツ受信部は、コンテンツ配信サーバ１００からダウンロードされたコンテンツ素材であって、画像コンテンツの視聴者に対する視覚的効果を与えるべく背景画像に対する表示条件が規定された、コンテンツ素材を受信する。たとえば、コンテンツ取得部は、コンテンツ配信サーバ１００から、通信Ｉ／Ｆ部を介して、コンテンツ素材を受信する。
【００４５】
コンテンツ登録部は、コンテンツ受信部によって受信されたコンテンツ素材を記憶部に登録する。コンテンツ取得部は、画像コンテンツの構成要素とするコンテンツ素材を取得する。たとえば、コンテンツ取得部は、画像コンテンツの構成要素とするコンテンツ素材を、記憶部から取得する。
【００４６】
コンテンツ作成部は、コンテンツ素材が背景画像上に重畳して画面上に表示される画像コンテンツであって、コンテンツ取得部によって取得されたコンテンツ素材が、コンテンツ取得部によって取得されたコンテンツ素材に規定されている表示条件で画面上に表示される画像コンテンツを作成する。
【００４７】
表示部は、コンテンツ作成部によって作成された画像コンテンツを画面上に表示する。コンテンツ投稿部は、コンテンツ作成部によって作成された画像コンテンツを投稿する。たとえば、コンテンツ投稿部は、コンテンツ作成部によって作成された画像コンテンツを、通信Ｉ／Ｆ部を介してコンテンツ配信サーバ１００へ送信することにより、当該画像コンテンツを投稿する。
【００４８】
図３は、コンテンツ配信サーバ１００による処理のフローの一例を示す。コンテンツ受信部２０２は、コンテンツおよびコンテンツ素材を受信可能な状態で待機しており、コンテンツ受信部２０２が、コンテンツを受信した場合（Ｓ３０２：Ｙｅｓ）、コンテンツ登録部２０４が、Ｓ３０２で受信されたコンテンツ素材を記憶部２８０に登録する（Ｓ３０４）。そして、コンテンツ配信サーバ１００は、処理をＳ３０２へ戻す。
【００４９】
コンテンツ受信部２０２が、コンテンツを受信せずに（Ｓ３０２：Ｎｏ）、コンテンツ素材を受信した場合（Ｓ３０６：Ｙｅｓ）、コンテンツ登録部２０４が、Ｓ３０６で受信されたコンテンツ素材を記憶部２８０に登録する（Ｓ３０８）。そして、コンテンツ配信サーバ１００は、処理をＳ３０２へ戻す。コンテンツ受信部２０２が、コンテンツを受信しない場合（Ｓ３０６：Ｎｏ）、コンテンツ配信サーバ１００は、処理をＳ３１０へ進める。
【００５０】
配信要求受信部２０６は、コンテンツの配信要求およびコンテンツ素材の配信要求を受信可能な状態で待機しており、配信要求受信部２０６が、コンテンツの配信要求を受信した場合（Ｓ３１０：Ｙｅｓ）、コンテンツ取得部２０８が、Ｓ３１０で受信されたコンテンツの配信要求に基づいて、配信が要求されたコンテンツを、記憶部２８０から取得する（Ｓ３１２）。そして、コンテンツ配信部２１０が、Ｓ３１２で記憶部２８０から取得されたコンテンツを配信する（Ｓ３１４）。さらに、コンテンツ配信サーバ１００は、処理をＳ３０２へ戻す。
【００５１】
配信要求受信部２０６が、コンテンツの配信要求を受信せずに（Ｓ３１０：Ｎｏ）、コンテンツ素材の配信要求を受信した場合（Ｓ３１６：Ｙｅｓ）、コンテンツ取得部２０８が、Ｓ３１６で受信されたコンテンツ素材の配信要求に基づいて、配信が要求されたコンテンツ素材を、記憶部２８０から取得する（Ｓ３１８）。そして、コンテンツ配信部２１０が、Ｓ３１８で記憶部２８０から取得されたコンテンツ素材を配信する（Ｓ３２０）。さらに、コンテンツ配信サーバ１００は、処理をＳ３０２へ戻す。
【００５２】
図４は、コンテンツ配信サーバ１００が配信するコンテンツ素材の一例を示す。図４に示すコンテンツ素材４００は、複数の突起部を有する星型のコンテンツ素材である。コンテンツ素材４００は、画像４１０および表示条件４２０を含む。表示条件４２０は、「面積比」および「輝度比」を含む。
【００５３】
「面積比」は、画像４１０が背景画像と重畳されて表示された場合の、画像４１０と、背景画像との面積比を示す。たとえば、表示条件４２０においては、「面積比」に「５％」が設定されている。これにより、画像４１０は、背景画像と重畳された場合、背景画像に対して、「５％」の大きさで表示される。
【００５４】
「輝度比」は、画像４１０が背景画像と重畳されて表示された場合の、画像４１０と、背景画像との輝度比を示す。たとえば、表示条件４２０においては、「輝度比」に「２００％」が設定されている。これにより、画像４１０は、背景画像と重畳された場合、背景画像に対して、「２００％」の明るさで表示される。
【００５５】
図５は、コンテンツ配信サーバ１００が配信するコンテンツ素材の他の一例を示す。図５に示すコンテンツ素材４００は、表示条件４２０の代わりに表示条件５２０を含む点で、図４に示したコンテンツ素材４００と相違する。表示条件５２０は、「移動範囲」をさらに含む点で、表示条件４２０と相違する。
【００５６】
「移動範囲」は、画像４１０が背景画像と重畳されて表示された場合の、画像４１０が移動する背景画像の範囲を示す。たとえば、表示条件５２０においては、「移動範囲」に「中心座標（２００，１２０）、半径（６０）」が設定されている。これにより、画像４１０は、背景画像と重畳された場合、背景画像の座標（２００，１２０）と、半径（６０）とによって特定される円形状の移動範囲内を移動しながら表示される。なお、「移動範囲」には、矩形など、円形状以外の形状の範囲を示す値が設定されてもよい。また、「移動範囲」には、座標値などの絶対的な範囲の大きさを示す値ではなく、背景画像との面積比などの相対的な範囲の大きさを示す値が設定されてもよい。
【００５７】
図６は、コンテンツ配信サーバ１００が配信するコンテンツ素材の他の一例を示す。図６に示すコンテンツ素材４００は、表示条件４２０の代わりに表示条件６２０を含む点で、図４に示したコンテンツ素材４００と相違する。表示条件６２０は、「移動位置」をさらに含む点で、表示条件４２０と相違する。
【００５８】
「移動位置」は、画像４１０が背景画像と重畳されて表示された場合の、画像４１０が移動する背景画像の位置を示す。たとえば、表示条件６２０においては、「移動位置」に「座標１（１００，６０）、座標２（３００，１８０）」が設定されている。これにより、画像４１０は、背景画像と重畳された場合、背景画像の座標（１００，６０）によって特定される位置と、背景画像の座標（３００，１８０）によって特定される位置とを順次移動しながら表示される。なお、「移動位置」には、３つ以上の移動位置の座標値が設定されてもよい。また、「移動位置」には、絶対的な位置を示す座標値ではなく、基準位置との相対的な位置を示す座標値が設定されてもよい。
【００５９】
図７は、携帯電話１２０の画面上に表示されたコンテンツ素材の一例を示す。携帯電話１２０の画面上には、携帯電話１２０のコンテンツ作成部によって作成された画像コンテンツ７００が表示されている。画像コンテンツ７００は、コンテンツ配信サーバ１００からダウンロードした、背景画像７１０および図４に示したコンテンツ素材４００を含む。コンテンツ素材４００は、背景画像７１０上に重畳されて配置されている。図４に示したように、コンテンツ素材４００は、画像４１０および表示条件４２０を含む。
【００６０】
画像コンテンツ７００において、画像４１０と背景画像７１０とは、表示条件４２０に設定されている面積比の関係にある。具体的には、画像４１０は、表示条件４２０の設定に基づいて、背景画像７１０に対して、「５％」の大きさで表示されている。
【００６１】
また、画像コンテンツ７００において、画像４１０と背景画像７１０とは、表示条件４２０に設定されている面積比の関係にある。具体的には、画像４１０は、表示条件４２０の設定に基づいて、背景画像７１０に対して、「２００％」の明るさで表示されている。
【００６２】
たとえば、携帯電話１２０のコンテンツ作成部は、画像コンテンツ７００を作成する場合、まず、背景画像７１０上にコンテンツ素材４００を配置する旨の指示入力を受け付ける。つぎに、携帯電話１２０のコンテンツ作成部は、コンテンツ素材４００に含まれている表示条件４２０を読み取る。そして、携帯電話１２０のコンテンツ作成部は、背景画像７１０とコンテンツ素材４００に含まれている画像４１０とが、読み取った表示条件４２０に設定されている面積比となるように、画像４１０の大きさを自動的に調整する。また、携帯電話１２０のコンテンツ作成部は、背景画像７１０とコンテンツ素材４００に含まれている画像４１０とが、読み取った表示条件４２０に設定されている輝度比となるように、画像４１０の明るさを自動的に調整する。
【００６３】
図８は、携帯電話１２０の画面上に表示されたコンテンツ素材の他の一例を示す。携帯電話１２０の画面上には、携帯電話１２０のコンテンツ作成部によって作成された画像コンテンツ８００が表示されている。画像コンテンツ８００は、コンテンツ配信サーバ１００からダウンロードした、背景画像７１０および図５に示したコンテンツ素材４００を含む。コンテンツ素材４００は、背景画像７１０上に重畳されて配置されている。図５に示したように、コンテンツ素材４００は、画像４１０および表示条件５２０を含む。
【００６４】
画像コンテンツ８００において、画像４１０は、表示条件５２０に設定されている円形状の移動範囲であって、背景画像７１０上の移動範囲である範囲８１０内を移動しながら表示される。範囲８１０は、背景画像７１０の座標（２００，１２０）と、半径（６０）とによって特定される円形状を有する。
【００６５】
たとえば、携帯電話１２０のコンテンツ作成部は、画像コンテンツ８００を作成する場合、まず、背景画像７１０上にコンテンツ素材４００を配置する旨の指示入力を受け付ける。つぎに、携帯電話１２０のコンテンツ作成部は、コンテンツ素材４００に含まれている表示条件５２０を読み取る。そして、携帯電話１２０のコンテンツ作成部は、読み取った表示条件５２０に設定されている移動範囲に従って、背景画像７１０上の移動範囲である範囲８１０を定義する。さらに、携帯電話１２０のコンテンツ作成部は、画像４１０が範囲８１０内を移動しながら表示されるように、画像４１０の範囲８１０内での表示位置が異なる複数のフレーム画像を作成する。そのうえで、携帯電話１２０のコンテンツ作成部は、作成された複数のフレーム画像を含む画像コンテンツ８００を定義する。携帯電話１２０の表示部は、画像コンテンツ８００に含まれている複数のフレーム画像を順次切り替えて表示することにより、画像４１０を範囲８１０内で移動させながら表示することができる。
【００６６】
携帯電話１２０のコンテンツ作成部は、範囲８１０内における画像４１０の表示位置をランダムに決定してもよい。他の例として、携帯電話１２０のコンテンツ作成部は、範囲８１０内における画像４１０の表示位置を携帯電話１２０のユーザに入力させてもよい。さらに他の例として、携帯電話１２０のコンテンツ作成部は、範囲８１０内における画像４１０の表示位置を、コンテンツ配信サーバ１００から取得してもよい。この場合、すなわち、コンテンツ配信サーバ１００は、範囲８１０内における画像４１０の表示位置をコンテンツ素材４００の表示条件５２０に含めて、携帯電話１２０へ配信してもよい。
【００６７】
図９は、携帯電話１２０の画面上に表示されたコンテンツ素材の他の一例を示す。携帯電話１２０の画面上には、携帯電話１２０のコンテンツ作成部によって作成された画像コンテンツ９００が表示されている。画像コンテンツ９００は、コンテンツ配信サーバ１００からダウンロードした、背景画像７１０および図６に示したコンテンツ素材４００を含む。コンテンツ素材４００は、背景画像７１０上に重畳されて配置されている。図６に示したように、コンテンツ素材４００は、画像４１０および表示条件６２０を含む。
【００６８】
画像コンテンツ９００において、画像４１０は、表示条件６２０に設定されている複数の移動位置である、背景画像７１０上の複数の移動位置を移動しながら表示される。
【００６９】
たとえば、携帯電話１２０のコンテンツ作成部は、画像コンテンツ９００を作成する場合、まず、背景画像７１０上にコンテンツ素材４００を配置する旨の指示入力を受け付ける。つぎに、携帯電話１２０のコンテンツ作成部は、コンテンツ素材４００に含まれている表示条件６２０を読み取る。そして、携帯電話１２０のコンテンツ作成部は、読み取った表示条件６２０に設定されている複数の移動位置を画像４１０が移動しながら表示されるように、上記複数の移動位置のそれぞれについて、当該移動位置に画像４１０が表示されているフレーム画像を作成する。そのうえで、携帯電話１２０のコンテンツ作成部は、作成された複数のフレーム画像を含む画像コンテンツ９００を定義する。携帯電話１２０の表示部は、画像コンテンツ９００に含まれている複数のフレーム画像を順次切り替えて表示することにより、画像４１０を背景画像７１０上で移動させながら表示することができる。
【００７０】
携帯電話１２０は、作成した画像コンテンツを、当該携帯電話１２０の待ち受け画面、メニュー画面などに用いることができる。携帯電話１２０は、作成した画像コンテンツを、他の携帯電話１２０がダウンロードできるように、コンテンツ配信サーバ１００へ投稿してもよい。
【００７１】
以上、本実施形態のコンテンツ配信サーバ１００によれば、背景画像に対する表示条件が規定されたコンテンツ素材を、携帯電話１２０へ配信する。これにより、たとえば、携帯電話１２０のユーザは、コンテンツ配信サーバ１００からダウンロードしたコンテンツ素材を画像コンテンツ上に配置することで、視覚的効果を高めるべくコンテンツ素材が上記表示条件を満たして表示される画像コンテンツを作成することができる。したがって、本実施形態のコンテンツ配信サーバ１００によれば、視覚的効果の高い画像コンテンツを、携帯電話１２０のユーザに容易に作成させることができる。
【００７２】
図１０は、コンテンツ配信サーバ１００のハードウェア構成の一例を示す。コンテンツ配信サーバ１００は、ホスト・コントローラ１５８２により相互に接続されるＣＰＵ１５０５、ＲＡＭ１５２０、グラフィック・コントローラ１５７５、および表示デバイス１５８０を備える。また、コンテンツ配信サーバ１００は、Ｉ／Ｏ（入出力）コントローラ１５８４によりホスト・コントローラ１５８２に接続される通信Ｉ／Ｆ１５３０、ＲＯＭ１５１０、ハードディスクドライブ１５４０、および外部メモリドライブ１５６０を備える。
【００７３】
ＣＰＵ１５０５は、ＲＯＭ１５１０、ＲＡＭ１５２０、またはハードディスクドライブ１５４０に格納されたプログラムに基づいて動作して、コンテンツ配信サーバ１００が備える各ハードウェアを制御する。グラフィック・コントローラ１５７５は、ＲＡＭ１５２０等から取得した画像データを、表示デバイス１５８０上に表示させる。
【００７４】
Ｉ／Ｏ（入出力）コントローラ１５８４は、マウス、キーボードなどの入出力デバイスをさらに接続する。通信Ｉ／Ｆ１５３０は、ネットワークを介して外部から受け取ったプログラムまたはデータを、ＲＯＭ１５１０、ＲＡＭ１５２０、またはハードディスクドライブ１５４０に提供する。ＲＯＭ１５１０は、コンテンツ配信サーバ１００の起動時にＣＰＵ１５０５が実行するブート・プログラム、コンテンツ配信サーバ１００のハードウェアに依存するプログラム等を格納する。
【００７５】
ハードディスクドライブ１５４０は、ＣＰＵ１５０５が使用するプログラムおよびデータを格納する。外部メモリドライブ１５６０は、外部メモリ１５９５から読み取ったプログラムまたはデータを、ＲＯＭ１５１０、ＲＡＭ１５２０、またはハードディスクドライブ１５４０に提供する。
【００７６】
ＣＰＵ１５０５は、ＲＯＭ１５１０、ＲＡＭ１５２０、またはハードディスクドライブ１５４０に格納されているプログラムを実行することにより、コンテンツ配信サーバ１００を、コンテンツ受信部２０２、コンテンツ登録部２０４、配信要求受信部２０６、コンテンツ取得部２０８、およびコンテンツ配信部２１０として機能させる。ＣＰＵ１５０５により実行されるプログラムは、外部メモリ１５９５等の記録媒体に格納されて提供されてもよく、外部の情報処理装置からネットワークを介して提供されてもよい。
【００７７】
なお、記憶部２８０は、コンテンツ配信サーバ１００が備える、ＲＯＭ１５１０、ＲＡＭ１５２０、ハードディスクドライブ１５４０、外部メモリ１５９５のいずれかによって実現されてもよい。また、通信Ｉ／Ｆ部２９０は、コンテンツ配信サーバ１００が備える、通信Ｉ／Ｆ１５３０によって実現されてもよい。
【００７８】
なお、携帯電話１２０は、コンテンツ配信サーバ１００と同様のハードウェア構成を有してもよい。この場合、携帯電話１２０においては、ＣＰＵが、ＲＯＭ、ＲＡＭ、またはハードディスクドライブに格納されているプログラムを実行することにより、携帯電話１２０を、配信要求送信部、コンテンツ受信部、コンテンツ登録部、コンテンツ取得部、コンテンツ作成部、およびコンテンツ投稿部として機能させてもよい。また、携帯電話１２０のＣＰＵにより実行されるプログラムは、外部メモリ等の記録媒体に格納されて提供されてもよく、外部の情報処理装置からネットワークを介して提供されてもよい。また、携帯電話１２０の記憶部は、携帯電話１２０が備える、ＲＯＭ、ＲＡＭ、ハードディスクドライブ、外部メモリのいずれかによって実現されてもよい。また、携帯電話１２０の通信Ｉ／Ｆ部は、携帯電話１２０が備える、通信Ｉ／Ｆによって実現されてもよい。また、携帯電話１２０の表示部は、携帯電話１２０が備える、表示デバイスによって実現されてもよい。
【００７９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【図面の簡単な説明】
【００８１】
【図１】実施形態に係るコンテンツ配信システム１０の一例を示す。
【図２】コンテンツ配信サーバ１００の機能構成の一例を示す。
【図３】コンテンツ配信サーバ１００による処理のフローの一例を示す。
【図４】コンテンツ配信サーバ１００が配信するコンテンツ素材の一例を示す。
【図５】コンテンツ配信サーバ１００が配信するコンテンツ素材の他の一例を示す。
【図６】コンテンツ配信サーバ１００が配信するコンテンツ素材の他の一例を示す。
【図７】携帯電話１２０の画面上に表示されたコンテンツ素材の一例を示す。
【図８】携帯電話１２０の画面上に表示されたコンテンツ素材の他の一例を示す。
【図９】携帯電話１２０の画面上に表示されたコンテンツ素材の他の一例を示す。
【図１０】コンテンツ配信サーバ１００のハードウェア構成の一例を示す。
【符号の説明】
【００８２】
１０  コンテンツ配信システム
１００  コンテンツ配信サーバ
１２０  携帯電話
１３０  ネットワーク
２０２  コンテンツ受信部
２０４  コンテンツ登録部
２０６  配信要求受信部
２０８  コンテンツ取得部
２１０  コンテンツ配信部
２８０  記憶部
２９０  通信Ｉ／Ｆ部
４００  コンテンツ素材
４１０  画像
４２０  表示条件
５２０  表示条件
６２０  表示条件
７００  画像コンテンツ
７１０  背景画像
８００  画像コンテンツ
８１０  範囲
９００  画像コンテンツ
１５０５  ＣＰＵ
１５１０  ＲＯＭ
１５２０  ＲＡＭ
１５３０  通信Ｉ／Ｆ
１５４０  ハードディスクドライブ
１５６０  外部メモリドライブ
１５７５  グラフィック・コントローラ
１５８０  表示デバイス
１５８２  ホスト・コントローラ
１５８４  Ｉ／Ｏコントローラ
１５９５  外部メモリ
【図１】
2010231445.tif 000003
【図２】
2010231445.tif 000004
【図３】
2010231445.tif 000005
【図４】
2010231445.tif 000006
【図５】
2010231445.tif 000007
【図６】
2010231445.tif 000008
【図７】
2010231445.tif 000009
【図８】
2010231445.tif 000010
【図９】
2010231445.tif 000011
【図１０】
2010231445.tif 000012